(57)【特許請求の範囲】
【請求項１】
画像形成部とフィニッシャ部とを備えた画像形成装置において、
前記画像形成部による画像形成動作を伴わずに前記フィニッシャ部によるフィニッシング動作のみ実行するための指示を入力すると共に、前記フィニッシャ部によるフィニッシング動作の種類に応じて、必要な設定項目を入力する指示画面を備えた操作部と、
前記操作部による指示に基づいて、前記フィニッシャ部によるフィニッシング動作のみ実行させる制御部と、
画像形成ジョブを管理するジョブ管理部とを備え、
前記操作部の前記指示画面に入力する設定項目を、前記ジョブ管理部に保存されているジョブリストの中から選択することで入力可能に構成したことを特徴とする画像形成装置。
【請求項２】
画像形成部とフィニッシャ部とを備えた画像形成装置において、
前記画像形成部による画像形成動作を伴わずに前記フィニッシャ部によるフィニッシング動作のみ実行するための指示を入力すると共に、前記フィニッシャ部によるフィニッシング動作の種類に応じて、必要な設定項目を入力する指示画面を備えた操作部と、
前記操作部による指示に基づいて、前記フィニッシャ部によるフィニッシング動作のみ実行させる制御部と、
画像形成ジョブを管理するジョブ管理部と、
前記フィニッシャ部によるフィニッシング動作のみ実行させる画像形成済み用紙の搬送枚数を管理する搬送枚数管理部とを備え、
前記搬送枚数管理部によって、前記画像形成済み用紙の搬送中に紙ジャムが発生して当該画像形成済み用紙が使用できなくなったと判定されたとき、前記制御部は、前記ジョブ管理部に保存されている使用できなくなった用紙に画像形成した画像データを含むジョブに基づいて、前記画像形成部により新たな用紙に前記画像データを画像形成させるように構成するとともに、
前記操作部の画面に、前記ジョブ管理部に保存されているジョブリストの中から前記使用できなくなった用紙に対するジョブを含むジョブを選択し、当該ジョブに基づいて新たな用紙に前記使用できなくなった用紙の画像データを画像形成する指示を表示することを特徴とする画像形成装置。
【請求項３】
前記操作部の画面に、前記使用できなくなった用紙の画像データを新たな用紙に画像形成後、前記フィニッシャ部によるフィニッシング動作のみの実行再開を表示することを特徴とする請求項２記載の画像形成装置。
【発明の詳細な説明】
【技術分野】
【０００１】
この発明は、フィニッシャ部を備えた画像形成装置に関する。
【背景技術】
【０００２】
一般に、プリンタ等の画像形成装置には、ステープル、パンチ、紙折り、表紙付け等のフィニッシング機構（フィニッシャ部）備えた画像形成装置がある。
【０００３】
従来、この種の画像形成装置（プリンタ）において、フィニッシャ部（フィニッシング機構）を使用する場合、ユーザが、プリント（画像形成）の指示をする際にフィニッシングの指示も併せて行っていた。
【特許文献１】特開平１１−１５１８３７号公報
【発明の開示】
【発明が解決しようとする課題】
【０００４】
しかしながら、このような従来の画像形成装置におけるフィニッシャ部（フィニッシング機構）には、つぎのような問題がある。
【０００５】
すなわち、必要なプリント（画像形成）動作の実行に先立って、ユーザは、プリント（画像形成）の指示とフィニッシングの指示を含む様々な設定項目を入力しなければならず、そのため、ユーザは煩雑な操作を強いられていた。
【０００６】
また、例えばネットワークプリンタのように、ユーザの机（作業場所）から離れた場所に設置されているプリンタ（画像形成装置）に出力する場合、フィニッシングの指示を行うためには、フィニッシャ部（フィニッシング機構）を含むプリンタ（画像形成装置）の構造を頭に浮かべながら指示することが必要であり、そのため、プリンタ（画像形成装置）の構造を熟知したユーザしか扱えないものであった。
【０００７】
この発明は、上記課題を解決するために為されたものであり、プリント（画像形成）済みの用紙（印刷物）に対して、ユーザがフィニッシングの指示を行って、所要のフィニッシング動作を実行することのできる画像形成装置を提供することを目的とする。
【課題を解決するための手段】
【０００８】
請求項１に係る発明の画像形成装置は、画像形成部とフィニッシャ部とを備えた画像形成装置において、前記画像形成部による画像形成動作を伴わずに前記フィニッシャ部によるフィニッシング動作のみ実行するための指示を入力すると共に、前記フィニッシャ部によるフィニッシング動作の種類に応じて、必要な設定項目を入力する指示画面を備えた操作部と、前記操作部による指示に基づいて、前記フィニッシャ部によるフィニッシング動作のみ実行させる制御部と、画像形成ジョブを管理するジョブ管理部とを備え、前記操作部の前記指示画面に入力する設定項目を、前記ジョブ管理部に保存されているジョブリストの中から選択することで入力可能に構成したことを特徴とする。
【０００９】
請求項２に係る発明の画像形成装置は、画像形成部とフィニッシャ部とを備えた画像形成装置において、前記画像形成部による画像形成動作を伴わずに前記フィニッシャ部によるフィニッシング動作のみ実行するための指示を入力すると共に、前記フィニッシャ部によるフィニッシング動作の種類に応じて、必要な設定項目を入力する指示画面を備えた操作部と、前記操作部による指示に基づいて、前記フィニッシャ部によるフィニッシング動作のみ実行させる制御部と、画像形成ジョブを管理するジョブ管理部と、前記フィニッシャ部によるフィニッシング動作のみ実行させる画像形成済み用紙の搬送枚数を管理する搬送枚数管理部とを備え、前記搬送枚数管理部によって、前記画像形成済み用紙の搬送中に紙ジャムが発生して当該画像形成済み用紙が使用できなくなったと判定されたとき、前記制御部は、前記ジョブ管理部に保存されている使用できなくなった用紙に画像形成した画像データを含むジョブに基づいて、前記画像形成部により新たな用紙に前記画像データを画像形成させるように構成するとともに、前記操作部の画面に、前記ジョブ管理部に保存されているジョブリストの中から前記使用できなくなった用紙に対するジョブを含むジョブを選択し、当該ジョブに基づいて新たな用紙に前記使用できなくなった用紙の画像データを画像形成する指示を表示することを特徴とする。
【００１０】
請求項３に係る発明の画像形成装置は、請求項２記載の画像形成装置において、前記操作部の画面に、前記使用できなくなった用紙の画像データを新たな用紙に画像形成後、前記フィニッシャ部によるフィニッシング動作のみの実行再開を表示することを特徴とする。
【発明の効果】
【００２１】
この発明は以上のように、画像形成部とフィニッシャ部とを備えた画像形成装置において、前記画像形成部による画像形成動作を伴わずに前記フィニッシャ部によるフィニッシング動作のみ実行するための指示を入力する操作部と、前記操作部による指示に基づいて、前記フィニッシャ部によるフィニッシング動作のみ実行させる制御部とを備えた構成としたので、画像形成済みの用紙に対して、ユーザがフィニッシングの指示を行って、所要のフィニッシング動作を実行することができる。
【発明を実施するための最良の形態】
【００２２】
この発明の実施の形態を、図面を参照して説明する。
【００２３】
図１は、この発明による画像形成装置の一実施形態を示す概略的構成図、図２は、図１の画像形成装置をネットワークに接続した一例を示す構成図、図３は、図１の画像形成装置のブロック図である。
【００２４】
この画像形成装置１は、画像形成部１０と、フィニッシャ部２０とを備え、また、操作部３０、入出力部４０および給紙部５０を備え、さらにこれらを制御する制御部６０を備えている。
【００２５】
このような画像形成装置１は、図１に示すように、入出力部４０に、画像読取装置（スキャナ）７０およびホストコンピュータ８０を接続して、使用することができる。また、図２に示すように、ネットワークに接続して使用することもできる。
【００２６】
画像読取装置７０は、セットされた紙原稿の画像を走査して、電子画像データに変換するものであり、変換した電子画像データを入出力部４０を介して画像形成装置１に入力することができる。
【００２７】
ホストコンピュータ８０は、アプリケーションを用いて電子原稿データを作成・編集することができ、作成・編集した電子原稿データを入出力部４０を介して画像形成装置１に送信または入力することができる。
【００２８】
画像形成部１０は、画像読取装置７０から入出力部４０を介して入力された電子画像データ、または、ホストコンピュータ８０から入出力部４０を介して送信または入力された電子原稿データを、画像形成（プリント）するものである。
【００２９】
フィニッシャ部２０は、画像形成（プリント）済みの用紙に、後処理としてフィニッシング動作を行うものであり、フィニッシャ部２０が行うフィニッシング動作には、ステープル、パンチ、紙折り、表紙付け等が含まれる。
【００３０】
操作部３０は、ユーザが画像形成装置１に種々の指示を行うものであり、そのため一般に操作パネル（表示画面）を備え、表示画面に入力、選択等の操作をすることで、画像形成装置１に対する指示を行うことができる。
【００３１】
入出力部４０は、画像形成装置１と、外部の画像読取装置７０、ホストコンピュータ８０との間でデータの送受信を行うものである。
【００３２】
給紙部５０は、画像形成（プリント）するための用紙を画像形成部１０に向けて給紙するものであり、図１に示す画像形成装置１では、３つの給紙トレイ１、２、３で構成される。
【００３３】
制御部６０は、図３に示すように、画像展開部６１と、ジョブ管理部６２と、搬送制御部６３と、搬送枚数管理部６４とを備え、画像形成装置１全体の動作を制御するものである。
【００３４】
画像展開部６１は、外部の画像読取装置７０またはホストコンピュータ８０から入力または送信された電子画像データまたは電子原稿データを展開し、画像形成（プリント）可能な形式に変換するものである。
【００３５】
ジョブ管理部６２は、画像形成装置１が行うさまざまなジョブを管理するものである。
【００３６】
搬送制御部６３は、給紙部５０から給紙する用紙の搬送態様（搬送速度等）を制御するものである。
【００３７】
搬送枚数管理部６４は、給紙部５０から給紙する用紙の搬送枚数を管理するものである。
【００３８】
この画像形成装置１は、画像形成部１０による画像形成動作を伴わずに、フィニッシャ部２０によるフィニッシング動作のみを実行することができるものである。しかし、その説明の前に、画像形成部１０による画像形成に続いてフィニッシャ部２０によるフィニッシングを行う通常の動作について、図４、図５を参照して説明する。
【００３９】
図４は、ホストコンピュータ８０から入力または送信された電子原稿データをプリント（画像形成）し、続いて後処理する通常の動作を示すフローチャートである。
【００４０】
図４に示すように、まず、ユーザが、ホストコンピュータ８０を用いてアプリケーションにより電子原稿データを作成する（ステップＳ１１）。つぎに、ユーザが、プリント指示すると（ステップＳ１２）、プリントデータを生成する（ステップＳ１３）。
【００４１】
つぎに、画像形成装置１が、プリントデータを展開し（ステップＳ１４）、用紙を給紙し（ステップＳ１５）、プリントデータを用紙に画像生成する（ステップＳ１６）。これに続いて、フィニッシャ部２０が後処理（フィニッシング動作）を行う（ステップＳ１７）。
【００４２】
図５は、画像形成装置１が例えば画像読取装置７０を用いて読み取った画像をコピー可能な場合に、コピーに続いて後処理する通常の動作を示すフローチャートである。
【００４３】
図５に示すように、まず、ユーザが、紙原稿を画像読取装置７０にセットし（ステップＳ２１）、コピー指示すると（ステップＳ２２）、画像読取装置７０がその紙原稿の画像を読み取り（ステップＳ２３）、プリントデータを生成する（ステップＳ２４）。
【００４４】
つぎに、画像形成装置１が、プリントデータを展開し（ステップＳ２５）、用紙を給紙し（ステップＳ２６）、プリントデータを用紙に画像生成する（ステップＳ２７）。これに続いて、フィニッシャ部２０が後処理（フィニッシング動作）を行う（ステップＳ２８）。
【００４５】
以下、上記の画像形成装置１により、画像形成部１０による画像形成動作を伴わずに、フィニッシャ部２０によるフィニッシング動作のみを実行する動作について、図６〜図１９を参照して説明する。
【００４６】
＜実施形態１＞
この実施形態は、フィニッシング（例えばステープル処理）のみ行う指示をすることで、プリント（画像形成）済みの用紙（印刷物）にフィニッシングのみを実行させることができるものである。そのための指示をする操作部３０の表示画面の一例を図６、図７に示す。
【００４７】
図６の表示画面３１に示す「ステープルのみ機能指示画面」で、ユーザは、プリント（画像形成）済みの用紙をセットする給紙部５０の給紙トレイ（例えば給紙トレイ１）、ステープルの位置を指定し、ページ数、部数を手入力して設定する。
【００４８】
図７の表示画面３２に示す「ステープル指示画面」では、「ステープルのみ機能」がＯＮとなり、カラーモード、ソート、面付け、の印刷用設定値はいずれもグレーアウトしている。
【００４９】
図８は、上記の指示をして、プリント（画像形成）済みの用紙（印刷物）にフィニッシングのみ動作を実行させる動作を示すフローチャートである。
【００５０】
図８に示すように、まず、ユーザが、プリント（画像形成）済み用紙を手作業で給紙部５０の例えば給紙トレイ１にセットする（ステップＳ３１）。つぎに、ユーザが、図６の表示画面３１に示す「ステープルのみ機能指示画面」を用いて手入力でフィニッシングの指示をする（ステップＳ３２）。
【００５１】
すると、制御部６０が給紙部５０から用紙を給紙し（ステップＳ３３）、フィニッシャ部２０に後処理（所定のステープル処理）を実行させる（ステップＳ３４）。
【００５２】
この実施形態によれば、フィニッシングの指示を忘れたプリント（画像形成）済み用紙（印刷物）を、後からフィニッシングできる。
【００５３】
また、印刷と同時にフィニッシング指示を、画像形成装置１から遠く離れたＰＣ（ホストコンピュータ８０）画面で行うことは操作上非常に難しいが、画像形成装置１の前でフィニッシング機構を見ながら指示することで、操作性が向上する。
【００５４】
また、様々な画像形成装置１から出力したプリント（画像形成）済みの用紙（印刷物）に対し、例えば表紙付けなど集約してフィニッシングすることができる。
【００５５】
＜実施形態２＞
この実施形態は、実施形態１でユーザが手入力していた設定項目の一部を自動設定するものである。そのための指示をする操作部３０の表示画面の一例を図９、図１０に示す。
【００５６】
図９の表示画面３３に示す「ステープルのみ機能指示画面」で、ユーザは、プリント（画像形成）済みの用紙をセットする給紙部５０の給紙トレイ（例えば給紙トレイ１）、ステープルの位置を指定する。
【００５７】
しかし、この場合は、ジョブ管理部６２に保存されているジョブリストを開いて、図１０の表示画面３４に示す「ジョブリスト」の中から、フィニッシング無しでプリント（画像形成）済みのジョブ（例えばジョブ２）を選択することで、そのジョブ（ジョブ２）の設定値（ページ数、部数、用紙サイズ等）が、図９の表示画面３３に示す「ステープルのみ機能指示画面」に自動的にセットされる。
【００５８】
図１１は、フィニッシングの指示を忘れたプリント（画像形成）済みの用紙（印刷物）に、上記の指示をして、フィニッシングのみ動作を実行させる動作を示すフローチャートである。
【００５９】
図１１に示すように、前もって、図４または図５のフローが実行される。ただし、この場合、フィニッシングの指示を忘れたものであるから、図４のフローであればステップＳ１１からステップＳ１６までで、ステップＳ１７は含まない。また、図５のフローであればステップＳ２１からステップＳ２７までで、ステップＳ２８は含まない。
【００６０】
つぎに、ユーザが、プリント（画像形成）済み用紙を手作業で給紙部５０の例えば給紙トレイ１にセットする（ステップＳ４１）。そして、ユーザが、図１０の表示画面３４に示す「ジョブリスト」を用いて、フィニッシング無しでプリント（画像形成）済みのジョブ（例えばジョブ２）を選択する（ステップＳ４２）。
【００６１】
これにより、そのジョブ（ジョブ２）の設定値（ページ数、部数、用紙サイズ等）が、図９の表示画面３３に示す「ステープルのみ機能指示画面」に自動的にセットされる。そして、ユーザが、図９の表示画面３３に示す「ステープルのみ機能指示画面」を用いてフィニッシングの指示をする（ステップＳ４３）。
【００６２】
すると、制御部６０が給紙部５０から用紙を給紙し（ステップＳ４４）、フィニッシャ部２０に後処理（所定のステープル処理）を実行させる（ステップＳ４５）。
【００６３】
この実施形態によれば、最近フィニッシング無しでプリント（画像形成）したジョブの設定値を利用（流用）することで、ページ数、部数、用紙サイズなど一つ一つ指定しなくても、自動的に設定することができ、そのため、フィニッシングを指示する際にユーザが操作する手間を軽減することができる。
【００６４】
＜実施形態３＞
この実施形態は、フィニッシングのみの指示に基づいて待機しているプリント（画像形成）済み用紙が、間違ってプリント（画像形成）されることを防止するものである。
【００６５】
フィニッシングのみの指示を行った際に、プリント（画像形成）済み用紙が給紙部５０の例えば給紙トレイ１にセットされる。ところが、この給紙トレイ１にセットされた用紙に対してプリント（画像形成）するという指示のジョブが送られてくる可能性がある。
【００６６】
そこで、このようなプリント（画像形成）指示のジョブを受け付けても、プリント（画像形成）は開始せず、例えばステープルのみ機能の動作が終了した後に、プリント（画像形成）を開始するように構成してある。
【００６７】
このようなプリント（画像形成）済み用紙に対するプリント（画像形成）を禁止する指示は、例えば、図６の表示画面３１に示す「ステープルのみ機能指示画面」や、図９の表示画面３３に示す「ステープルのみ機能指示画面」に、設定項目として追加することが可能である。
【００６８】
図１２は、このようなプリント（画像形成）済み用紙に対するプリント（画像形成）を禁止してフィニッシングのみ動作を実行させる動作を示すフローチャートである。
【００６９】
図１２に示すように、まず、ユーザが手入力で、給紙部５０の１つ（例えば給紙トレイ１）を別ジョブでのプリント（画像形成）禁止状態とする（ステップＳ５１）。つぎに、ユーザが手作業で、プリント済み用紙を、別ジョブでのプリント（画像形成）禁止状態とした給紙部５０の給紙トレイ１にセットする（ステップＳ５２）。つぎに、ユーザが手入力でフィニッシングの指示をする（ステップＳ５３）。
【００７０】
すると、制御部６０が、給紙トレイ１にセットされた用紙に対するプリント（画像形成）を禁止した状態に保ったまま、給紙部５０から用紙を給紙し（ステップＳ５４）、フィニッシャ部２０に後処理（例えば所定のステープル処理）を実行させる（ステップＳ５５）。
【００７１】
この実施形態によれば、プリント（画像形成）済み用紙に、別のユーザが誤ってプリント（画像形成）してしまうことを未然に防止することができる。
【００７２】
＜実施形態４＞
この実施形態は、フィニッシングのみの指示に基づいて給紙されるプリント（画像形成）済み用紙が紙ジャムを起こしにくいようにしたものである。
【００７３】
プリント（画像形成）済みの用紙は、新品（未印刷）の用紙と比べて、痛んでいることが多く、紙ジャムの発生する可能性が高い。なぜなら、プリンタ等の画像形成装置における給排紙は、通常、新品の用紙にプリント（画像形成）することを想定しているため、用紙搬送をなるべく高速で行うように構成されていることが多いからである。
【００７４】
そこで、給紙モードに、「通常」モード以外に「慎重」モードを設け、この慎重モードの場合は、紙ジャムが起こりやすい部分はゆっくり搬送するように構成してある。そのための指示をする操作部３０の表示画面の一例を図１３に示す。
【００７５】
図１３の表示画面３５に示す「ステープルのみ機能指示画面」で、ユーザは、給紙モードの「慎重」モードを選択して設定することができる。また、ユーザは、プリント（画像形成）済みの用紙をセットする給紙部５０の給紙トレイ（例えば給紙トレイ１）、ステープルの位置を指定し、ページ数、部数を設定する。
【００７６】
図１４は、このような給紙「慎重」モードを設定した場合にフィニッシングのみ動作を実行させる動作を示すフローチャートである。
【００７７】
図１４に示すように、まず、ユーザが手作業で、プリント（画像形成）済み用紙を給紙部５０にセットする（ステップＳ６１）。つぎに、ユーザが手入力でフィニッシングの指示をし（ステップＳ６２）、このとき同時に給紙「慎重」モードを設定（ＯＮ）する（ステップＳ６３）。
【００７８】
すると、搬送制御部６３が、給紙部５０の動作を例えば用紙の搬送速度を遅くするなど慎重モードで動作させて（ステップＳ６４）、用紙を給紙し（ステップＳ６５）、制御部６０が、フィニッシャ部２０に後処理（例えばステープル処理）を実行させる（ステップＳ６６）。
【００７９】
この実施形態によれば、用紙の搬送速度を遅くするなど用紙搬送を慎重に行うことができ、そのため、新品の用紙と比べて紙ジャムの発生確率が高いプリント（画像形成）済み用紙であっても、極力紙ジャムが起こらないように給紙することができる。
【００８０】
＜実施形態５＞
この実施形態は、プリント（画像形成）済み用紙の紙ジャムが起きてしまった場合に、画像形成装置内に残っているジャム用紙が使用できるときは、その用紙をジャム位置から取り除き、プリント（画像形成）済み用紙の給紙トレイに再度セットして再開指示をすることで、フィニッシングのみ動作を続行できるようにしたものである。
【００８１】
そのための指示をする操作部３０の表示画面はとくに必要ではないが、紙ジャムが起きてしまったときにユーザに確認することは必要であり、そのための確認メッセージを表示する操作部３０の表示画面の一例を図１５に示す。
【００８２】
図１６は、このような再開指示をしてフィニッシングのみ動作を続行させる動作を示すフローチャートである。
【００８３】
図１６に示すように、まず、ユーザが手作業で、プリント（画像形成）済み用紙を給紙部５０にセットする（ステップＳ７１）。つぎに、ユーザが手入力でフィニッシングの指示をする（ステップＳ７２）。このフィニッシングの指示には、ユーザによる指示の有無にかかわらず、紙ジャムが起きたときフィニッシングのみ動作を続行できる機能が含まれる。
【００８４】
すると、搬送枚数管理部６４が、合計枚数：Ｔ、枚数カウンタ：Ｃ＝Ｔをセットする（ステップＳ７３）。そして、制御部６０が給紙部５０から用紙を給紙する（ステップＳ７４）。
【００８５】
紙ジャムが発生したときは（ステップＳ７５のＹＥＳ）、エラー表示する（ステップＳ７６）。このエラー表示には、例えば図１５の表示画面３６に示す「確認メッセージ」が含まれ、これを見たユーザは、画像形成装置内に残っているジャム用紙を給紙トレイに再度セットすべきことを理解する。
【００８６】
そこで、ユーザが手作業で、ジャムした用紙を給紙部５０に再度セットし（ステップＳ７７）、再開指示をする（ステップＳ７８）。すると、ステップＳ７４へ戻って給紙を再開する。
【００８７】
一方、紙ジャムが発生しないときは（ステップＳ７５のＮＯ）、制御部６０がフィニッシャ部２０に後処理（例えばステープル処理）を実行させる（ステップＳ８１）。
【００８８】
そして、搬送枚数管理部６４が、枚数カウンタの値ＣをＣ−１にし（ステップＳ８２）、Ｃ＞０である限り（ステップＳ８３のＹＥＳ）、ステップＳ７４へ戻って用紙を給紙する。Ｃ＞０を満たさなくなったら（ステップＳ８３のＮＯ）、終了する。
【００８９】
この実施形態によれば、プリント（画像形成）済み用紙の紙ジャムが起きた場合に、ジャム用紙を給紙トレイにセットし直すことで、フィニッシングのみ動作を再開することができる。
【００９０】
＜実施形態６＞
この実施形態は、プリント（画像形成）済み用紙の紙ジャムが起き、しかもジャムした用紙が使用できなくなった場合に、対処できるようにしたものである。
【００９１】
このような場合、使用できなくなったジャム用紙（ページ）だけを再プリントしたうえで、フィニッシングのみ動作を再開すればよい。しかもそのジャム用紙（ページ）のプリントジョブが画像形成装置内に保存されている場合は、それを利用することができる。そのための指示をする操作部３０の表示画面の一例を図１７に示す。
【００９２】
図１８は、このような再プリントをしてフィニッシングのみ動作を続行させる動作を示すフローチャートである。
【００９３】
図１８に示すように、まず、ユーザが手作業で、プリント（画像形成）済み用紙を給紙部５０にセットする（ステップＳ９１）。つぎに、ユーザが手入力でフィニッシングの指示をする（ステップＳ９２）。
【００９４】
すると、搬送枚数管理部６４が、合計枚数：Ｔ、枚数カウンタ：Ｃ＝Ｔをセットする（ステップＳ９３）。そして、制御部６０が給紙部５０から用紙を給紙する（ステップＳ９４）。
【００９５】
紙ジャムが発生したときは（ステップＳ９５のＹＥＳ）、エラー表示する（ステップＳ９６）。このエラー表示には、例えば図１７の表示画面３７に示す「再プリント指示画面」が含まれる。
【００９６】
そこで、ユーザが手入力で、ジョブリストからジョブを指定し（ステップＳ９７）、再開指示をする（ステップＳ９８）。すると、制御部６０が給紙部５０（給紙トレイ２）から用紙を給紙し、該当ページをプリントする（ステップＳ９９）。そして、ステップＳ９５へ戻る。
【００９７】
一方、紙ジャムが発生しないときは（ステップＳ９５のＮＯ）、制御部６０がフィニッシャ部２０に後処理（例えばステープル処理）を実行させる（ステップＳ１０１）。
【００９８】
そして、搬送枚数管理部６４が、枚数カウンタの値ＣをＣ−１にし（ステップＳ１０２）、Ｃ＞０である限り（ステップＳ１０３のＹＥＳ）、ステップＳ９４へ戻って用紙を給紙する。Ｃ＞０を満たさなくなったら（ステップＳ１０３のＮＯ）、終了する。
【００９９】
この実施形態によれば、プリント（画像形成）済み用紙の紙ジャムが起き、しかもジャムした用紙が使用できなくなった場合に、画像形成装置に残っているプリントジョブを用いてジャム用紙のページだけを新品用紙に印刷することができ、そのためフィニッシングのみ動作を再開することができる。
【０１００】
＜実施形態７＞
この実施形態は、プリント（画像形成）済み用紙の紙ジャムが起きて使用できなくなり、しかもそのジャム用紙（ページ）のプリントジョブが、ＰＣ（ホストコンピュータ８０）から送られたものであって画像形成装置１内に保存されていない場合に、対処できるようにしたものである。
【０１０１】
このような場合、使用できなくなったジャム用紙（ページ）を含むプリントジョブをホストコンピュータ８０から画像形成装置１へ再送信し、ジャム用紙（ページ）だけを再プリントしたうえで、フィニッシングのみ動作を再開すればよい。
【０１０２】
図１９は、このような再プリントをしてフィニッシングのみ動作を続行させる動作を示すフローチャートである。
【０１０３】
図１９に示すように、まず、ユーザが手作業で、プリント（画像形成）済み用紙を給紙部５０にセットする（ステップＳ１１１）。つぎに、ユーザが手入力でフィニッシングの指示をする（ステップＳ１１２）。
【０１０４】
すると、搬送枚数管理部６４が、合計枚数：Ｔ、枚数カウンタ：Ｃ＝Ｔをセットする（ステップＳ１１３）。そして、制御部６０が給紙部５０から用紙を給紙する（ステップＳ１１４）。
【０１０５】
紙ジャムが発生したときは（ステップＳ１１５のＹＥＳ）、エラー表示する（ステップＳ１１６）。そこで、ユーザが手入力で、ホストコンピュータ０から画像形成装置１に、ジャム用紙（ページ）を含むジョブのプリントを指示する（ステップＳ１１７）。
【０１０６】
すると、制御部６０が給紙部５０（給紙トレイ２）から用紙を給紙し、該当ページをプリントする（ステップＳ１１８）。そして、ステップＳ１１５へ戻る。
【０１０７】
一方、紙ジャムが発生しないときは（ステップＳ１１５のＮＯ）、制御部６０がフィニッシャ部２０に後処理（例えばステープル処理）を実行させる（ステップＳ１２１）。
【０１０８】
そして、搬送枚数管理部６４が、枚数カウンタの値ＣをＣ−１にし（ステップＳ１２２）、Ｃ＞０である限り（ステップＳ１２３のＹＥＳ）、ステップＳ１１４へ戻って用紙を給紙する。Ｃ＞０を満たさなくなったら（ステップＳ１２３のＮＯ）、終了する。
【０１０９】
この実施形態によれば、フィニッシング途中で、プリント（画像形成）済みの用紙（印刷物）が足りなくなった場合に、一時的にプリント可能とすることで、紙ジャムにより全ての工程を中断してやり直すような事態になることを未然に防止することができる。
【図面の簡単な説明】
【０１１０】
【図１】この発明による画像形成装置の一実施形態を示す概略的構成図である。
【図２】図１の画像形成装置をネットワークに接続した一例を示す構成図である。
【図３】図１の画像形成装置のブロック図である。
【図４】ホストコンピュータから入力または送信された電子原稿データを画像形成し、続いて後処理する通常の動作を示すフローチャートである。
【図５】画像形成装置が例えば画像読取装置を用いて読み取った画像をコピー可能な場合に、コピーに続いて後処理する通常の動作を示すフローチャートである。
【図６】操作部の表示画面の一例を示す図である。
【図７】操作部の表示画面の他の例を示す図である。
【図８】画像形成済みの用紙にフィニッシングのみ動作を実行させる動作の一例を示すフローチャートである。
【図９】操作部の表示画面のさらに他の例を示す図である。
【図１０】操作部の表示画面のさらに他の例を示す図である。
【図１１】画像形成済みの用紙にフィニッシングのみ動作を実行させる動作の他の例を示すフローチャートである。
【図１２】画像形成済みの用紙にフィニッシングのみ動作を実行させる動作のさらに他の例を示すフローチャートである。
【図１３】操作部の表示画面のさらに他の例を示す図である。
【図１４】画像形成済みの用紙にフィニッシングのみ動作を実行させる動作の他の例を示すフローチャートである。
【図１５】操作部の表示画面のさらに他の例を示す図である。
【図１６】画像形成済みの用紙にフィニッシングのみ動作を続行させる動作の一例を示すフローチャートである。
【図１７】操作部の表示画面のさらに他の例を示す図である。
【図１８】画像形成済みの用紙にフィニッシングのみ動作を続行させる動作の他の例を示すフローチャートである。
【図１９】画像形成済みの用紙にフィニッシングのみ動作を続行させる動作のさらに他の例を示すフローチャートである。
【符号の説明】
【０１１１】
１  画像形成装置
１０  画像形成部
２０  フィニッシャ部
３０  操作部
３１〜３７  表示画面
４０  入出力部
５０  給紙部
６０  制御部
６１  画像展開部
６２  ジョブ管理部
６３  搬送制御部
６４  搬送枚数管理部
７０  画像読取装置（スキャナ）
８０  ホストコンピュータ
【図１】
0005130115.tif 000002
【図２】
0005130115.tif 000003
【図３】
0005130115.tif 000004
【図４】
0005130115.tif 000005
【図５】
0005130115.tif 000006
【図６】
0005130115.tif 000007
【図７】
0005130115.tif 000008
【図８】
0005130115.tif 000009
【図９】
0005130115.tif 000010
【図１０】
0005130115.tif 000011
【図１１】
0005130115.tif 000012
【図１２】
0005130115.tif 000013
【図１３】
0005130115.tif 000014
【図１４】
0005130115.tif 000015
【図１５】
0005130115.tif 000016
【図１６】
0005130115.tif 000017
【図１７】
0005130115.tif 000018
【図１８】
0005130115.tif 000019
【図１９】
0005130115.tif 000020